【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
所定周期で撮像処理を行ってフレーム若しくはフィールド毎の撮像データを作成し、前記撮像データをパケット化して送信データを作成するとともに、前記撮像処理の撮像位相に対して所定の位相で送信されるパケットを特定パケットと定義するとき、前記送信データを送信するときに、前記撮像データの１フレーム若しくは１フィールド分の複数のパケット中の少なくとも１パケットを前記特定パケットとして送信する送信処理を行う撮像装置から前記送信データを受信する受信部と、
前記送信データから表示用の表示信号を作成する表示処理を行う表示処理部と、
前記送信データ中の前記特定パケットの受信タイミングを計測する計測部と、
前記特定パケットの受信状態を判定すると共に、判定結果に応じて、前記受信タイミングを使用するか否かを判定する判定部と、
前記判定部によって前記受信タイミングを使用すると判定された場合に、前記受信タイミングを用いて前記表示信号の位相調整処理を行う処理部と、
を有する表示装置。
【請求項２】
前記判定部は、前記特定パケットの受信状態として、前記特定パケットが再送されているか否かを判定する、請求項１に記載の表示装置。
【請求項３】
前記判定部は、前記特定パケットに付加されている再送か否かを示すデータを検出することにより、前記特定パケットが再送されているか否かを判定する、請求項２に記載の表示装置。
【請求項４】
前記判定部は、前記特定パケットの受信間隔の変化を検出することにより、前記特定パケットが再送されているか否かを判定する、請求項２に記載の表示装置。
【請求項５】
前記特定パケットは、再送処理を行わないことが予め指定されており、
前記判定部は、前記特定パケットの受信状態として、前記特定パケットが受信されているか否かを判定する、請求項１に記載の表示装置。
【請求項６】
前記撮像装置若しくは表示装置の動作開始直後の送信データ中の１フレーム若しくは１フィールド分の複数のパケット中の少なくとも１パケットが前記特定パケットとして指定されると共に、前記特定パケットが前記再送処理を行うことなく受信されるまで、送信データ中の前記特定パケットの指定が継続される、請求項５に記載の表示装置。
【請求項７】
前記特定パケットは、前記撮像装置が周期的に指定して送信するパケットである、請求項５に記載の表示装置。
【請求項８】
前記特定パケットは、表示装置からの要求に応じて指定されるパケットである、請求項５に記載の表示装置。
【請求項９】
前記特定パケットは、他のパケットよりも伝送路の劣化に強い方式を用いて送信される、請求項５に記載の表示装置。
【請求項１０】
撮像装置と表示装置とを有する表示システムであって、
前記撮像装置は、
所定周期で撮像処理を行ってフレーム若しくはフィールド毎の撮像データを作成する撮像部と、
前記撮像データをパケット化して送信データを作成するデータ処理部と、
前記送信データを送信する送信部であって、前記撮像処理の撮像位相に対して所定の位相で送信されるパケットを特定パケットと定義するとき、前記送信データのうち、前記撮像データの１フレーム若しくは１フィールド分の複数のパケット中の少なくとも１パケットを前記特定パケットとして送信する送信部と、
を有し、
前記表示装置は、
前記撮像装置から前記送信データを受信する受信部と、
前記送信データから表示用の表示信号を作成する表示処理を行う表示処理部と、
前記送信データから前記特定パケットを抽出し、前記特定パケットの受信タイミングを計測する計測部と、
前記特定パケットの受信状態を判定すると共に、判定結果に応じて、前記計測部によって計測された前記受信タイミングを使用するか否かを判定する判定部と、
前記判定部によって前記受信タイミングを使用すると判定された場合に、前記受信タイミングを用いて前記表示信号の位相調整処理を行う処理部と、
を有する表示システム。
【手続補正２】
【補正対象書類名】明細書
【補正対象項目名】０００６
【補正方法】変更
【補正の内容】
【０００６】
本発明は、上記の課題を解決するためになされたもので、所定周期で撮像処理を行ってフレーム若しくはフィールド毎の撮像データを作成し、前記撮像データをパケット化して送信データを作成するとともに、前記撮像処理の撮像位相に対して所定の位相で送信されるパケットを特定パケットと定義するとき、前記送信データを送信するときに、前記撮像データの１フレーム若しくは１フィールド分の複数のパケット中の少なくとも１パケットを前記特定パケットとして送信する送信処理を行う撮像装置から前記送信データを受信する受信部と、前記送信データから表示用の表示信号を作成する表示処理を行う表示処理部と、前記送信データ中の前記特定パケットの受信タイミングを計測する計測部と、前記特定パケットの受信状態を判定すると共に、判定結果に応じて、前記受信タイミングを使用するか否かを判定する判定部と、前記判定部によって前記受信タイミングを使用すると判定された場合に、前記受信タイミングを用いて前記表示信号の位相調整処理を行う処理部と、を有する表示装置である。
【手続補正３】
【補正対象書類名】明細書
【補正対象項目名】０００８
【補正方法】変更
【補正の内容】
【０００８】
又、本発明の表示装置において、前記判定部は、前記特定パケットに付加されている再送か否かを示すデータを検出することにより、前記特定パケットが再送されているか否かを判定する。
【手続補正４】
【補正対象書類名】明細書
【補正対象項目名】００１２
【補正方法】変更
【補正の内容】
【００１２】
又、本発明の表示装置において、前記特定パケットは、前記撮像装置が周期的に指定して送信するパケットである。
【手続補正５】
【補正対象書類名】明細書
【補正対象項目名】００１３
【補正方法】変更
【補正の内容】
【００１３】
又、本発明の表示装置において、前記特定パケットは、表示装置からの要求に応じて指定されるパケットである。
【手続補正６】
【補正対象書類名】明細書
【補正対象項目名】００１５
【補正方法】変更
【補正の内容】
【００１５】
又、本発明は、撮像装置と表示装置とを有する表示システムであって、前記撮像装置は、所定周期で撮像処理を行ってフレーム若しくはフィールド毎の撮像データを作成する撮像部と、前記撮像データをパケット化して送信データを作成するデータ処理部と、前記送信データを送信する送信部であって、前記撮像処理の撮像位相に対して所定の位相で送信されるパケットを特定パケットと定義するとき、前記送信データのうち、前記撮像データの１フレーム若しくは１フィールド分の複数のパケット中の少なくとも１パケットを前記特定パケットとして送信する送信部と、を有し、前記表示装置は、前記撮像装置から前記送信データを受信する受信部と、前記送信データから表示用の表示信号を作成する表示処理を行う表示処理部と、前記送信データから前記特定パケットを抽出し、前記特定パケットの受信タイミングを計測する計測部と、前記特定パケットの受信状態を判定すると共に、判定結果に応じて、前記計測部によって計測された前記受信タイミングを使用するか否かを判定する判定部と、前記判定部によって前記受信タイミングを使用すると判定された場合に、前記受信タイミングを用いて前記表示信号の位相調整処理を行う処理部と、を有する表示システムである。